(57)【要約】      （修正有）【課題】電源を単３形の乾電池にしている従来の無線操縦ができない電動式おもちゃの乗り物を廃棄したり改造したりせずに、無線操縦ができるようにした無線受信駆動装置を提供する。【解決手段】電動式おもちゃの乗り物１００の電池収納部に、充電池５０と無線受信駆動装置受信基板部２０を収納した形状が単３形乾電池に類似した無線受信駆動装置を収納する。単３形無線受信駆動装置受信基板部２０の出力端子をモーター１０７の入力端子に接続する。単３形無線受信駆動装置受信基板部２０の主要構成要素は、アンテナ、受信ＩＣ、同調回路、増幅回路、ＩＣ制御マイクロコンピューター及びＩＣモータードライバーである。【選択図】図３
0003186212.tif 000002
【実用新案登録請求の範囲】
【請求項１】
形状は単３形乾電池に類似した円柱形状で、円柱形状の側面に充電池５０を無線受信駆動装置電池収納部３０に出し入れするための扉開閉部１５を設け、円柱形状の上底部に無線受信駆動装置電極端子Ａ１１を設け、円柱形状の下底部に無線受信駆動装置電極端子Ｂ１２を設け、円柱形状の内部に無線受信駆動装置受信基板部２０を設け、無線受信駆動装置受信基板部２０は、昇圧装置２１、アンテナ２２、受信ＩＣ２３、同調回路２４、増幅回路２５、ＩＣ制御マイクロコンピューター２６、ＩＣモータードライバー２７、出力端子Ａ４１、出力端子Ｂ４２から構成されていて、円柱形状の内部に充電池５０を収納する無線受信駆動装置電池収納部３０を設け、無線受信駆動装置電池収納部３０に収納する充電池５０の正極端子５１と接合する無線受信駆動装置電池収納部正極端子３１を設け、無線受信駆動装置電池収納部３０に収納する充電池５０の負極端子５２と接合する無線受信駆動装置電池収納部負極端子３２を設け、無線受信駆動装置電池収納部正極端子３１と無線受信駆動装置受信基板部２０の昇圧装置２１は導線４３で結ばれていて、無線受信駆動装置電池収納部負極端子３２と無線受信駆動装置受信基板部２０の昇圧装置２１は導線４４で結ばれていて、無線受信駆動装置電極端子Ａ１１と無線受信駆動装置受信基板部２０の出力端子Ａ４１は導線４５で結ばれていて、無線受信駆動装置電極端子Ｂ１２と無線受信駆動装置受信基板部２０の出力端子Ｂ４２は導線４６で結ばれていて、形状が単３形乾電池に類似した円柱形状である無線受信駆動装置１０。
【考案の詳細な説明】
【技術分野】
【０００１】この考案は、電源を単３形の乾電池にしている従来の無線操縦ができない電動式おもちゃの乗り物の電池収納部にセットし、無線操縦ができるようにした形状が単３形乾電池に類似した無線受信駆動装置に関するものである。
【背景技術】
【０００２】登録実用新案第３１４３７６５号（公序良俗違反につき、不掲載）の考案による無線受信駆動装置を使用することによって、従来の無線操縦ができない電動式おもちゃの乗り物１００を無線操縦ができるように解決した。（図１参照）
【先行技術文献】
【０００３】登録実用新案第３１４３７６５号（公序良俗違反につき、不掲載）
【考案の概要】
【考案が解決しようとする課題】
【０００４】単１形乾電池を電源とする電動式おもちゃの乗り物１００用の無線受信駆動装置（登録実用新案第３１４３７６５号の考案による）に使用する乾電池は、単１形乾電池より小さい乾電池を利用することができる。単１形乾電池より小さい乾電池は市販されていて、容易に手に入る。
これは、単２形乾電池を電源とする電動式おもちゃの乗り物１００用の無線受信駆動装置（登録実用新案第３１４３７６５号の考案による）についてもいえる。【０００５】しかし、単３形乾電池を電源とする電動式おもちゃの乗り物１００用の無線受信駆動装置（登録実用新案第３１４３７６５号の考案による）に使用する乾電池は、単３形乾電池より小さい単４形乾電池や単５形乾電池を利用することになるが、これでは、無線受信駆動装置（登録実用新案第３１４３７６５号の考案による）に内蔵する無線受信駆動装置受信基板部と単４形乾電池や単５形乾電池を収納したスペースが、単３形乾電池のスペースでは構造的に狭すぎる。【０００６】このままでは、従来の単３形乾電池を電源とする電動式おもちゃの乗り物１００は、廃棄されたり、改造したりしなければならない状態であったため、単３形乾電池を電源とする電動式おもちゃの乗り物１００用の無線受信駆動装置を開発する必要があった。
【課題を解決するための手段】
【００１０】単３形乾電池を電源とする電動式おもちゃの乗り物１００用の無線受信駆動装置（登録実用新案第３１４３７６５号の考案による）に使用する電源は、単３形乾電池より小さい単４形乾電池や単５形乾電池を利用しないで、充電池５０を使用する。
【考案の効果】
【００２０】本考案を、従来の単３形乾電池を電源とする電動式おもちゃの乗り物１００の電池収納部１０１にセットすれば、無線操縦ができるようになるから、電動式おもちゃの乗り物１００を廃棄あるいは改造したりせずに、そのまま生かすことができる。
【図面の簡単な説明】
【００３０】
【図１】は、従来の単３形乾電池を電源とする電動式おもちゃの乗り物の内部を示す断面図である。
【図２】は、本考案の内部を示す断面図である。
【図３】は、本考案を使用した電動式おもちゃの乗り物の内部を示す断面図である。
【図４】は、本考案の無線受信駆動装置受信基板部２０の内部を示すブロック図とその周辺の配線図等である。
【考案を実施するための形態】
【００４０】  以下、本考案を実施するための形態を説明する。
（イ）形状は単３形乾電池に類似した円柱形状で、円柱形状の側面に充電池５０を無線受信駆動装置電池収納部３０に出し入れするための扉開閉部１５を設ける。
（ロ）円柱形状の上底部に無線受信駆動装置電極端子Ａ１１を設ける。
（ハ）円柱形状の下底部に無線受信駆動装置電極端子Ｂ１２を設ける。
（ニ）円柱形状の内部に無線受信駆動装置受信基板部２０を設ける。
（ホ）無線受信駆動装置受信基板部２０は、昇圧装置２１、アンテナ２２、受信ＩＣ２３、同調回路２４、増幅回路２５、ＩＣ制御マイクロコンピューター２６、ＩＣモータードライバー２７、出力端子Ａ４１、出力端子Ｂ４２から構成されている。
（ヘ）円柱形状の内部に充電池５０を収納する無線受信駆動装置電池収納部３０を設ける。
（ト）無線受信駆動装置電池収納部３０に収納する充電池５０の正極端子５１と接合する無線受信駆動装置電池収納部正極端子３１を設ける。
（チ）無線受信駆動装置電池収納部３０に収納する充電池５０の負極端子５２と接合する無線受信駆動装置電池収納部負極端子３２を設ける。
（リ）無線受信駆動装置電池収納部正極端子３１と無線受信駆動装置受信基板部２０の昇圧装置２１は導線４３で結ばれている。
（ヌ）無線受信駆動装置電池収納部負極端子３２と無線受信駆動装置受信基板部２０の昇圧装置２１は導線４４で結ばれている。
（ル）無線受信駆動装置電極端子Ａ１１と無線受信駆動装置受信基板部２０の出力端子Ａ４１は導線４５で結ばれている。
（ヲ）無線受信駆動装置電極端子Ｂ１２と無線受信駆動装置受信基板部２０の出力端子Ｂ４２は導線４６で結ばれている。
本考案は以上の構成よりなっている。
それを次に詳しく説明する。
【００４１】  まず、「（イ）形状は単３形乾電池に類似した円柱形状で、円柱形状の側面に充電池５０を無線受信駆動装置電池収納部３０に出し入れするための扉開閉部１５を設ける。」「（ロ）円柱形状の上底部に無線受信駆動装置電極端子Ａ１１を設ける。」「（ハ）円柱形状の下底部に無線受信駆動装置電極端子Ｂ１２を設ける。」について説明する。（図１、図２、図３参照）
形状は単３形乾電池に類似した円柱形状で、上底部に無線受信駆動装置電極端子Ａ１１と下底部に無線受信駆動装置電極端子Ｂ１２を設けるのは、［考案の効果］［００２０］で述べたように、本考案を従来の単３形乾電池を電源とする電動式おもちゃの乗り物１００にそのまま生かすためである。
【００４２】  単３形乾電池を電源とする電動式おもちゃの乗り物１００に使用されている電池は、単３形乾電池であり、その電池収納部１０１に本考案をセットできるようにするためである。こうすれば、電動式おもちゃの乗り物１００を廃棄したり改造したりせずに、そのまま生かすことができるからである。
【００４３】  無線受信駆動装置電池収納部３０に充電池５０を出し入れするための扉開閉部１５を円柱形状の側面に設ける。図示しないが、この扉開閉部１５はスライド式や蓋式にしてもよい。
【００４４】  次に、「（ニ）円柱形状の内部に無線受信駆動装置受信基板部２０を設ける。」「（ホ）無線受信駆動装置受信基板部２０は、昇圧装置２１、アンテナ２２、受信ＩＣ２３、同調回路２４、増幅回路２５、ＩＣ制御マイクロコンピューター２６、ＩＣモータードライバー２７、出力端子Ａ４１、出力端子Ｂ４２から構成されている。」について説明する。（図２、図３、図４参照）
昇圧装置２１は、無線受信駆動装置電池収納部３０に収納する充電池５０の小さい電圧を、図４の無線受信駆動装置受信基板部２０のブロック図で示す、受信ＩＣ２３、同調回路２４、増幅回路２５、ＩＣ制御マイクロコンピューター２６、ＩＣモータードライバー２７などが必要とする大きい電圧に変えて、それぞれに送る働きをする。したがって、従来の電動式おもちゃの乗り物１００を廃棄したり改造したりせずに、そのまま生かすことができる。
【００４５】  アンテナ２２は、無線送信機１９から発信された電磁波などを受け取り、受信ＩＣ２３に送る働きをする。
【００４６】  受信ＩＣ２３と同調回路２４は、アンテナ２２が受け取った多くの電磁波の中から、従来の電動式おもちゃの乗り物１００を動かすのに必要な電磁波を選び出し、それを増幅回路２５に送る働きをする。
【００４７】  増幅回路２５は、受信ＩＣ２３と同調回路２４から送られてきた信号が微弱なため、ＩＣ制御マイクロコンピューター２６が必要とする強い信号に変えて、そこに送る働きをする。
【００４８】  ＩＣ制御マイクロコンピューター２６には、特許出願２００２−１８３６４０（特許公開２００３−３３８８５３）の「発明の名称：識別データ新規作成等の手段を備えた送受信システム」（公序良俗違反につき、不掲載）を応用したプログラムなどが内蔵されている。それは、電動式おもちゃの乗り物１００を前進、後退、停止、加速、減速させるプログラムや複数の電動式おもちゃの乗り物（１００Ａ、１００Ｂ・・・１００Ｎ・・）を一台もしくは複数の無線送信機１９で操作するために識別コードを変えることができるプログラムなどである。  そして、ＩＣ制御マイクロコンピューター２６は、それらの信号をＩＣモータードライバー２７に送る働きをする。
【００４９】  ＩＣモータードライバー２７は、ＩＣ制御マイクロコンピューター２６からの信号を受け、モーター１０７の回転数を変えたり、モーター１０７を反転させるために、出力を正極・負極逆に切り換えたりする働きをする。
【００５０】  出力端子Ａ４１と出力端子Ｂ４２は、ＩＣモータードライバー２７から送られてくる出力電圧を無線受信駆動装置電極端子Ａ１１と無線受信駆動装置電極端子Ｂ１２につなぐ働きをする。
【００５１】  次に、「（ヘ）円柱形状の内部に充電池５０を収納する無線受信駆動装置電池収納部３０を設ける。」「（ト）無線受信駆動装置電池収納部３０に、収納する充電池５０の正極端子５１と接合する無線受信駆動装置電池収納部正極端子３１を設ける。」「（チ）無線受信駆動装置電池収納部３０に、収納する充電池５０の負極端子５２と接合する無線受信駆動装置電池収納部負極端子３２を設ける。」「（リ）無線受信駆動装置電池収納部正極端子３１と無線受信駆動装置受信基板部２０の昇圧装置２１は導線４３で結ばれている。」「（ヌ）無線受信駆動装置電池収納部負極端子３２と無線受信駆動装置受信基板部２０の昇圧装置２１は導線４４で結ばれている。」について説明する。（図２、図４参照）
無線受信駆動装置電池収納部３０に充電池５０を収納して、充電池５０の正極端子５１と無線受信駆動装置電池収納部正極端子３１を接合させ、その正極電流を導線４３で無線受信駆動装置受信基板部２０の昇圧装置２１に導く。
同様に、充電池５０の負極端子５２と無線受信駆動装置電池収納部負極端子３２を接合させ、その負極電流を導線４４で無線受信駆動装置受信基板部２０の昇圧装置２１に導く。
【００５２】  次に、「（ル）無線受信駆動装置電極端子Ａ１１と無線受信駆動装置受信基板部２０の出力端子Ａ４１は導線４５で結ばれている。」「（ヲ）無線受信駆動装置電極端子Ｂ１２と無線受信駆動装置受信基板部２０の出力端子Ｂ４２は導線４６で結ばれている。」について説明する。（図２、図３、図４参照）
ＩＣモータードライバー２７から出力端子Ａ４１に送られてくるモーター１０７を動かす（前進、後退、停止、加速、減速）出力電圧を、無線受信駆動装置電極端子Ａ１１に導線４５でつなぐ。
ＩＣモータードライバー２７から出力端子Ｂ４２に送られてくるモーター１０７を動かす（前進、後退、停止、加速、減速）出力電圧を、無線受信駆動装置電極端子Ｂ１２に導線４６でつなぐ。
【実施例】
【００６０】  本考案を、電源を単３形の乾電池にしている従来の無線操縦ができない電動式おもちゃの乗り物の電池収納部１０１にセットし、スイッチ１０８をオンにし、無線送信機１９で無線操縦する。
【符号の説明】
【００８０】１０無線受信駆動装置    １１無線受信駆動装置電極端子Ａ
１２無線受信駆動装置電極端子Ｂ    １５扉開閉部    １９無線送信機
２０無線受信駆動装置受信基板部    ２１昇圧装置    ２２アンテナ
２３受信ＩＣ    ２４同調回路    ２５増幅回路
２６ＩＣ制御マイクロコンピューター    ２７ＩＣモータードライバー
３０無線受信駆動装置電池収納部
３１無線受信駆動装置電池収納部正極端子
３２無線受信駆動装置電池収納部負極端子
４１出力端子Ａ    ４２出力端子Ｂ
４３導線    ４４導線    ４５導線    ４６導線
５０充電池    ５１充電池正極端子    ５２充電池負極端子
６０無線受信駆動装置収納部
６１無線受信駆動装置収納部電極端子Ａ
６２無線受信駆動装置収納部電極端子Ｂ
１００電動式おもちゃの乗り物    １０１電池収納部
１０２電池収納部正極端子
１０３電池収納部負極端子
１０４単３形乾電池    １０５電池正極端子    １０６電池負極端子
１０７モーター    １０８スイッチ    １０９タイヤＡ    １１０タイヤＢ
１１１導線    １１２導線
【図１】
0003186212.tif 000003
【図２】
0003186212.tif 000004
【図３】
0003186212.tif 000005
【図４】
0003186212.tif 000006
【手続補正書】
【提出日】平成25年7月16日(2013.7.16)
【手続補正１】
【補正対象書類名】実用新案登録請求の範囲
【補正対象項目名】全文
【補正方法】変更
【補正の内容】
【実用新案登録請求の範囲】
【請求項１】
形状は単３形乾電池に類似した円柱形状で、円柱形状の側面に充電池（５０）を無線受信駆動装置電池収納部（３０）に出し入れするための扉開閉部（１５）を設け、円柱形状の上底部に無線受信駆動装置電極端子Ａ（１１）を設け、円柱形状の下底部に無線受信駆動装置電極端子Ｂ（１２）を設け、円柱形状の内部に無線受信駆動装置受信基板部（２０）を設け、無線受信駆動装置受信基板部（２０）は、昇圧装置（２１）、アンテナ（２２）、受信ＩＣ（２３）、同調回路（２４）、増幅回路（２５）、ＩＣ制御マイクロコンピューター（２６）、ＩＣモータードライバー（２７）、出力端子Ａ（４１）、出力端子Ｂ（４２）から構成されていて、円柱形状の内部に充電池（５０）を収納する無線受信駆動装置電池収納部（３０）を設け、無線受信駆動装置電池収納部（３０）に収納する充電池（５０）の正極端子（５１）と接合する無線受信駆動装置電池収納部正極端子（３１）を設け、無線受信駆動装置電池収納部（３０）に収納する充電池（５０）の負極端子（５２）と接合する無線受信駆動装置電池収納部負極端子（３２）を設け、無線受信駆動装置電池収納部正極端子（３１）と無線受信駆動装置受信基板部（２０）の昇圧装置（２１）は導線（４３）で結ばれていて、無線受信駆動装置電池収納部負極端子（３２）と無線受信駆動装置受信基板部（２０）の昇圧装置（２１）は導線（４４）で結ばれていて、無線受信駆動装置電極端子Ａ（１１）と無線受信駆動装置受信基板部（２０）の出力端子Ａ（４１）は導線（４５）で結ばれていて、無線受信駆動装置電極端子Ｂ（１２）と無線受信駆動装置受信基板部（２０）の出力端子Ｂ（４２）は導線（４６）で結ばれていて、形状が単３形乾電池に類似した円柱形状である無線受信駆動装置（１０）。
【手続補正２】
【補正対象書類名】明細書
【補正対象項目名】０００２
【補正方法】変更
【補正の内容】
【０００２】登録実用新案第３１４３７６５号の考案による無線受信駆動装置を使用することによって、従来の無線操縦ができない電動式おもちゃの乗り物１００を無線操縦ができるように解決した。（図１参照）
【手続補正３】
【補正対象書類名】明細書
【補正対象項目名】０００３
【補正方法】変更
【補正の内容】
【０００３】登録実用新案第３１４３７６５号
【手続補正４】
【補正対象書類名】明細書
【補正対象項目名】００４８
【補正方法】変更
【補正の内容】
【００４８】ＩＣ制御マイクロコンピューター２６には、特許出願２００２−１８３６４０（特許公開２００３−３３８８５３）の「発明の名称：識別データ新規作成等の手段を備えた送受信システム」を応用したプログラムなどが内蔵されている。それは、電動式おもちゃの乗り物１００を前進、後退、停止、加速、減速させるプログラムや複数の電動式おもちゃの乗り物（１００Ａ、１００Ｂ・・・１００Ｎ・・）を一台もしくは複数の無線送信機１９で操作するために識別コードを変えることができるプログラムなどである。
そして、ＩＣ制御マイクロコンピューター２６は、それらの信号をＩＣモータードライバー２７に送る働きをする。